(57)【要約】【課題】同一表示内容を有する複数種の画面情報について表示する場合において、表示される画面情報の誤認をより確実に防止する。【解決手段】予めそれぞれの画面種類ごとに異なる色を設定しておいた上で、画面情報の表示領域の少なくとも一部と、その画面情報に対応づけて表示画面上に表示される画面名の情報の表示領域とを、選択された画面情報の種類に応じた色で表示する。これによってどの画面情報が表示されているかをユーザーに直感的に理解させることができ、画面情報の誤認をより確実に防止することができる。【選択図】図９
2007241814.tif 000002
【特許請求の範囲】
【請求項１】
同一表示内容を有する複数種の画面情報について表示を行うようにされた表示装置であって、
表示画面上に情報表示を行う表示部と、
上記表示部の表示動作を制御する制御部とを備え、
上記制御部は、
選択された上記画面情報の種類を判別する判別処理と、
上記画面情報の表示領域の少なくとも一部とその画面情報に対応づけて上記表示画面上に表示される画面名の情報の表示領域とが、予めそれぞれの画面情報の種類ごとに異なるようにして定められた各色のうちの上記判別処理により判別した画面情報の種類に応じて選択した色で表示されるように、上記表示部に対する制御を行う表示制御処理とを実行するようにされる、
ことを特徴とする表示装置。
【請求項２】
上記制御部は、
上記画面情報として所定のモード別に同一内容による設定項目について設定入力を行うためのモード別設定入力画面情報が表示され、且つ上記画面名の情報の表示領域にはモード名を表す情報が表示さるように制御を行う、
ことを特徴とする請求項１に記載の表示装置。
【請求項３】
上記制御部は
上記設定項目として各種料金に係る設定項目が表示されるように制御を行う、
ことを特徴とする請求項２に記載の表示装置。
【請求項４】
上記制御部は、
上記画面情報の表示領域の一部として、上記モード別設定入力画面情報の表示領域において入力情報を表示すべき入力ボックスの表示部分が上記判別処理により判別した画面情報の種類に応じて選択した色で表示されるように制御を行う、
ことを特徴とする請求項２に記載の表示装置。
【請求項５】
上記制御部は、
上記画面情報の表示領域全体が上記判別処理により判別した画面情報の種類に応じて選択した色で表示されるように制御を行う、
ことを特徴とする請求項１に記載の表示装置。
【請求項６】
同一表示内容を有する複数種の画面情報について表示を行うための表示方法であって、
選択された画面情報の種類を判別する判別手順と、
上記画面情報の表示領域の少なくとも一部とその画面情報に対応づけて上記表示画面上に表示される画面名の情報の表示領域とを、予めそれぞれの画面種類ごとに異なるようにして設定された各色のうちから上記判別手順により判別した画面情報の種類に応じて選択した色で表示する表示手順と、
を備えることを特徴とする表示方法。
【請求項７】
同一表示内容を有する複数種の画面情報について表示を行うようにされた表示装置であって、表示画面上に情報表示を行う表示部と、上記表示部の表示動作を制御する制御部とを備えた表示装置において実行されるべきプログラムとして、
選択された画面情報の種類を判別する判別処理と、
上記画面情報の表示領域の少なくとも一部とその画面情報に対応づけて上記表示画面上に表示される画面名の情報の表示領域とが、予めそれぞれの画面種類ごとに異なるようにして設定された各色のうちから上記判別処理により判別した画面情報の種類に応じて選択した色で表示されるように上記表示部に対する制御を行う表示制御処理と、
を上記制御部に実行させることを特徴とするプログラム。
【発明の詳細な説明】
【技術分野】
【０００１】
本発明は表示装置と表示方法、及び表示装置において実行されるべきプログラムに関する。
【背景技術】
【０００２】
多くの電子機器では各種の設定入力を行うことが可能に構成されている。一例としては、例えば現在時刻情報についての設定入力などを挙げることができる。また、例えば各種動作モードの選択が可能な場合には、動作モードの選択設定を行うなどといったことが可能とされる。
【０００３】
近年において、電子機器の有する機能は益々多様化してきており、上記のような設定項目としても多岐にわたっている。そして、このように多岐にわたる設定項目について効率良く設定入力ができるように、各種電子機器では設定項目を階層化して表示画面上に提示するということが広く行われている。
その手法としては、例えば設定項目を大まかなジャンルで分け、そのジャンルごとに設定メニューを階層化して設けるようにされる。ユーザは、大まかなジャンルから徐々にその下層のメニューを辿っていくことで、所望の設定項目に辿りつくことができる。つまり、このような手法により、多くの設定項目の中から所望の設定項目を効率良く検索することができる。
【０００４】
なお、関連する従来技術については下記特許文献を挙げることができる。
【特許文献１】特開２００２−１４０１４４号公報
【特許文献２】特開平８−１６３５４号公報
【発明の開示】
【発明が解決しようとする課題】
【０００５】
ここで、或る機能について複数の動作モードが設けられた機種では、各モード別に同一設定項目についてそれぞれ設定入力を行うようにされることが想定され得る。
一例として、例えば入金に応じて自動的に入力データに応じた画像をプリントアウトする印刷装置（プリンタ装置）を想定し、動作モードとして例えば高品質印刷モードと通常品質印刷モードとの２種が設けられる場合を仮定する。そして、この場合において、それぞれの印刷モードごとに、印刷用紙サイズごとの料金単価を入力するといったことが考えられる。具体的には、印刷可能な用紙サイズごとの料金単価を、それぞれ高品質印刷モードと通常品質印刷モードの各モード別に設定入力するといったものである。
この場合、設定入力画面として表示される内容は、用紙サイズごとの料金単価という同一の項目であり、モード別に同一設定項目についてそれぞれ設定入力を行うようにされることになる。
【０００６】
例えば、この例のようにしてモード別に同一設定項目について入力を行う場合には、表示項目としては同一であるので、現在表示されている設定画面が何れのモードについての設定画面であるかを特定できなくなってしまう可能性がある。特に、例えばユーザーが何らかの事情により一度設定作業を中断し、その後に設定作業を再開するなどといった場合には、どのモードについて設定を行っていたかを特定できなくなってしまう可能性が高まる。
【０００７】
このとき、特に上記例のように設定項目が料金に係る設定項目である場合には、モードを誤って設定入力が行われてしまうと、売り上げ減少や料金過剰請求などの重大な問題を引き起こす虞がある。
【０００８】
なお、このように同一表示内容を有する複数種の画面についてそれぞれの誤認を防止するための対策としては、各画面に対応づけてどの画面であるかを表す名称情報などを併せて表示することも考えられる。
しかしながら、より強固に誤認防止を図るためには、何れの画面であるかの特定をさらに確実にできるようにすることが肝要となる。
【課題を解決するための手段】
【０００９】
そこで、本発明では以上のような問題点に鑑み、表示装置として以下のように構成することとした。
つまり、同一表示内容を有する複数種の画面情報について表示を行うようにされた表示装置であって、表示画面上に情報表示を行う表示部と、上記表示部の表示動作を制御する制御部とを備える。
そして、上記制御部は、選択された上記画面情報の種類を判別する判別処理と、上記画面情報の表示領域の少なくとも一部とその画面情報に対応づけて上記表示画面上に表示される画面名の情報の表示領域とが、予めそれぞれの画面情報の種類ごとに異なるようにして定められた各色のうちの上記判別処理により判別した画面情報の種類に応じて選択した色で表示されるように、上記表示部に対する制御を行う表示制御処理とを実行するようにしたものである。
【００１０】
また、本発明では表示方法として以下のようにすることとした。
すなわち、本発明の表示方法は、同一表示内容を有する複数種の画面情報について表示を行うための表示方法であって、
選択された画面情報の種類を判別する判別手順と、上記画面情報の表示領域の少なくとも一部とその画面情報に対応づけて上記表示画面上に表示される画面名の情報の表示領域とを、予めそれぞれの画面種類ごとに異なるようにして設定された各色のうちから上記判別手順により判別した画面情報の種類に応じて選択した色で表示する表示手順と、を備えるものである。
【００１１】
さらに、本発明ではプログラムとして以下のように構成することとした。
すなわち、同一表示内容を有する複数種の画面情報について表示を行うようにされた表示装置であって、表示画面上に情報表示を行う表示部と、上記表示部の表示動作を制御する制御部とを備えた表示装置において実行されるべきプログラムとして、
選択された画面情報の種類を判別する判別処理と、上記画面情報の表示領域の少なくとも一部とその画面情報に対応づけて上記表示画面上に表示される画面名の情報の表示領域とが、予めそれぞれの画面種類ごとに異なるようにして設定された各色のうちから上記判別処理により判別した画面情報の種類に応じて選択した色で表示されるように上記表示部に対する制御を行う表示制御処理と、を上記制御部に実行させるものである。
【００１２】
上記のようにして本発明では、画面情報の種類ごとに異なる色を割り振り、選択された画面情報の表示領域の少なくとも一部をその画面名の表示領域の色と同じ色で表示するものとしている。これにより、複数種ある同一表示内容の画面情報のうちの何れが表示されているかをユーザーに直感的に理解させることができる。
【発明の効果】
【００１３】
このようにして本発明によれば、同一表示内容を有する複数種の画面情報について表示を行う場合において、表示画面上に何れの画面情報が表示されているかをユーザーに直感的に理解させることができる。
そして、このような本発明によれば、例えば上記画面情報がモード別に同一設定項目について設定入力するための設定入力画面情報であるとすれば、どのモードについての設定を行っているかを直感的に理解させることができ、これによってモードの誤認による設定入力ミスの発生を効果的に防止することができる。
【発明を実施するための最良の形態】
【００１４】
以下、発明を実施するための最良の形態（以下実施の形態とする）について説明していく。
図１（ａ）（ｂ）は、本発明の表示装置を適用した実施の形態としての印刷装置１の外観例を示している。この印刷装置１は、写真店、コンビニエンスストアなどの店頭や、テーマパーク、観光地その他の商業施設などに設置され一般ユーザ（顧客）が印刷代金を支払うことで利用することのできるプリント注文端末として機能する装置を想定している。
【００１５】
印刷装置１の筐体２の天面には、広告表示部６が配置されている。広告表示部６には、例えばＬＥＤ（Light Emitting Diode）掲示板が使用される。
筐体２の正面上部には、表示入力部３が配置されている。表示入力部３として例えばタッチパネル式の表示装置が使用される。この表示入力部３では操作メニュー、操作ガイド表示、印刷する画像などの表示が行われる。またユーザーは、表示された操作手順に従って操作を行う。操作入力はタッチパネル上の任意の領域に触れることで行われる。
【００１６】
筐体２の中央部にはメモリーカードを装填できるメモリーカードスロット４が設けられている。メモリカードは半導体メモリを内蔵したカード状の記録媒体であり、異なる規格のメモリカードとして複数種類のものが存在する。これらに対応するため、種類に応じた複数のメモリカードスロット４が併設されている。
また筐体２の下部には仕上がったプリント写真を顧客が取り出せる写真取出口４が設けられている。
【００１７】
図１（ａ）のように筐体２の正面下部には、入金装置部７が配置されている。入金装置部７は、コイン投入口７ａと、コイン返却口７ｂとを備える。顧客は入金装置部７により、注文するプリントに応じた代金を支払うことになる。
なお、図１（ｂ）は、入金装置部７が設けられていない例であり、これは顧客が店員に対して代金支払いを行う場合や、無料の印刷サービスを提供する場合の例となる。
【００１８】
図２は、印刷装置１の内部構成を示したブロック図である。
印刷装置１は、制御部１１と、表示入力部３、広告表示部６、音声出力部８、入金装置部７、メモリカードインターフェース部１０、印刷部９を有する。
【００１９】
制御部１１は、画像データの受付から印刷の実行までの動作を制御する。この制御には、ユーザーに対する各種確認画面の表示も含まれる。制御部１１は、ＣＰＵ（Central Processing Unit ）１２、記憶部１３を主要な構成要素とする。
ＣＰＵ１２は印刷装置１の動作制御のための演算処理や各部への制御信号の供給を行う。ＣＰＵ１２は、後述する動作を実現するために、動作プログラムや操作入力に応じて各部を制御する。
またＣＰＵ１２ではソフトウエアによる計時処理として、常に現在の日時（年月日時分秒）を計数している。なお、時計部をハードウエアにより設けても良い。
【００２０】
記憶部１３は、ＣＰＵ１２において実行されるプログラムコードを格納したり、実行中の作業データを一時保管するために使用されたり、画像データを格納する記憶装置である。この場合、記憶部１３は、揮発メモリ、不揮発性メモリの双方を含むものとして示している。例えばプログラムを格納するＲＯＭ（Read Only Memory）、演算ワーク領域や各種一時記憶のためのＲＡＭ（Random Access Memory）、ＥＥＰ−ＲＯＭ（Electrically Erasable and Programmable Read Only Memory）等の不揮発性メモリを含む。
さらにハードディスク装置も記憶部１３に含むものとして示している。ハードディスク装置は、例えばメモリカード９０から取り込んだ画像データの保存に用いられる。
なお、後述する本実施の形態としての表示動作はＣＰＵ１２がこの記憶部１３（例えば上記ＲＯＭ、ＥＥＰ−ＲＯＭ、又はハードディスク装置の何れか）に格納されるプログラムに従った処理を実行することで実現されるものとなる。
【００２１】
表示入力部３は、ユーザーに対する指示や操作を促す各種画面や印刷する画像を表示する表示デバイスと、タッチパネルに対する操作をＣＰＵ１２に通知する入力デバイスとで構成される。ＣＰＵ１２は、表示入力部３における表示動作制御し、後述するような各種の表示動作を実行させるとともに、表示入力部３のタッチパネルにより入力されるユーザー操作を受け付ける処理を行う。
【００２２】
広告表示部６は、ＣＰＵ１２の制御に基づいて、例えば予め定めたパターンに従ってＬＥＤの点灯と消灯を実行し、所定の広告情報を表示する。
音声出力部８は、ユーザーに対する指示、操作、注意喚起等のためのメッセージ音声や電子音を出力するオーディオシステムであり、音声信号発生部、オーディオ回路やスピーカーにより構成される。ＣＰＵ１２は所定のタイミングで音声出力部８に所定の音声出力を実行させるように制御する。
【００２３】
入金装置部７は、ユーザーのコイン投入による代金処理を行う装置部であり、コイン投入口７ａに投入されたコインの判別装置部、投入金額や釣り銭の計算処理部、コイン格納部、釣り銭や返却金をコイン返却口７ｂに排出する返金処理部などを有する。ユーザーに代金を求める場合、入金装置部７は投入金額をＣＰＵ１２に通知し、ＣＰＵ１２は入金装置部７において適正な代金が投入されたか否かを確認する。
なお、図１（ｂ）の印刷装置１の場合、このような入金装置部７は設けられない。
【００２４】
メモリカードインターフェース部１０は、メモリカードスロット４に装填されたメモリカード９０からのデータ転送を行う画像取得部である。ＣＰＵ１２はメモリカードインターフェース部１０を介してメモリカード９０からの画像データの読出を行う。ＣＰＵ１２はメモリカード９０から読み出した画像データは、例えば記憶部１３におけるハードディスク装置に記憶させる。
【００２５】
印刷部９は画像データを印刷用紙に印刷する１又は複数台の印刷デバイスで構成される。この例の場合、第１プリンタ９ａ、第２プリンタ９ｂとして２台の印刷デバイスを有する構成を示している。複数の印刷デバイスを配備するのは、要求される品質に応じて異なる印刷方式のプリンタを必要とする場合や、多様な印刷用紙サイズに対応できるようにする場合、さらには、複数の印刷デバイスを並列利用して印刷時間を短縮したい場合、などの事情による。
ＣＰＵ１２は印刷部９の第１プリンタ９ａ、第２プリンタ９ｂによる印刷実行の制御を行う。例えば第１，第２プリンタが、印刷する用紙サイズの違いに対応するものとされる場合は、ＣＰＵ１２はユーザーが指定した印刷サイズに従って、いずれか一方を選択して印刷を実行させる。
【００２６】
ここで、上記説明による実施の形態としての印刷装置１について、その具体的な利用方法としては、先ず顧客が、撮像した画像データを記録したメモリカードを持ち込み、当該印刷装置１にこれを装填する。顧客がメモリカードをメモリカードスロット４に装填すると、印刷装置１はそのメモリカードに記憶されている画像データを読み込んで、表示入力部３上に表示する。顧客は、表示された画像から印刷する画像を選択したり、枚数や用紙サイズ等を設定する操作を行う。印刷装置１はこのような顧客の操作に応じて注文を受け付け、指定された印刷を行う。
【００２７】
このとき、特に本実施の形態の印刷装置１としては、このような顧客からの指定に応じた印刷動作として、印刷指定後の入金に応じて即時に指定された画像データを印刷出力する第１動作モード（以下、Instant Serviceモード：インスタントサービスモードとも呼ぶ）と、予約日時の設定入力を受け付け、設定された予約日時情報に応じて印刷出力を行う第２動作モード（以下、Full Serviceモード：フルサービスモードとも呼ぶ）との、２種のモードによる印刷動作が可能に構成される。
【００２８】
具体的に、印刷装置１としては、表示入力部３上にこれらインスタントサービスモードとフルサービスモードとについての選択画面を表示し、顧客としてのユーザーに何れのモードで印刷を実行するかを選択設定させる。
印刷装置１では、このようにして選択されるモードに応じて印刷動作を実行するようにされている。
【００２９】
また、印刷装置１としては、上述したように写真店の店頭などにおいて設置され、その管理・保守等が店員等によって為される装置である性質上、顧客としてのユーザーが上記のような印刷モードについての各種設定入力を行う以外にも、店員等が管理・保守者のための各種設定入力を行うことが可能となるようにされる。
一例として、例えば実施の形態の印刷装置１では上述したように顧客が設定入力した印刷用紙サイズや印刷枚数に応じて印刷代金を自動的に算出する機能を有しているが、このことに対応して店員等は、予め印刷装置１に対し印刷用紙サイズごとの料金単価を設定しておくようにされている。
そして、本実施の形態の印刷装置１の場合には、上記したインスタントサービスモードによる印刷を行う場合の料金単価と、フルサービスモードによる印刷を行う場合の料金単価とを、それぞれ分けて設定入力することができるようにされている。
また、料金単価の設定については、さらに詳細な設定として、或る指定枚数以上の印刷については割引を適用した単価を設定するなど、所定の印刷枚数刻みで個別に単価を設定するなどの機能も与えられている。
【００３０】
ここで、このような管理・保守などの目的のための設定入力を行うにあたり、印刷装置１に対して行われるべき操作手順について、以下の図３、図４を参照して説明する。
先ず、店員等のユーザーは、印刷装置１における表示入力部３としてのタッチパネルに対し、予め定められた所定の操作入力を行うことによって、図３に示されるような設定開始画面を表示入力部３上に表示させる。
この図３に示す設定開始画面は、店員等が保守・管理等についての設定入力を行うために表示させる画面であるので、これを表示させるための操作については一般顧客により行われ得ないとされる操作が割り当てられ（例えば表示入力部３上の所定領域を所定時間内に所定回連続押圧するなど）、また店員等の保守・管理者側に対してのみその操作内容が知らされていることが好ましい。
図３において、この場合の設定開始画面においては、例えば図示するようにAdminボタンＢ１が表示される。このAdminボタンＢ１は、例えば次の図４に示される各種設定項目をメニュー化した設定項目メニュー画面の表示を指示するための操作ボタンとなる。すなわち、店員等は表示入力部３上の当該AdminボタンＢ１が表示される領域に対する押圧操作を行うことによって、次の図４に示す設定項目メニュー画面を表示させることができる。
なお、この設定開始画面においては、上記AdminボタンＢ１以外の他のボタンも表示することができる。
【００３１】
なお、上記説明からも理解されるように、この場合において表示入力部３上に表示される「ボタン」は、タッチパネル上の操作子として表示されるものであって、印刷装置１（ＣＰＵ１２）においては、そのボタンの表示領域に対する押圧操作が行われたことに応じ、そのボタンに対応づけられた操作入力を検知するようにされている。
【００３２】
図４に示す設定項目メニュー画面には、図示するようにしてScreensボタンＢ２、PricingボタンＢ３、PromotionsボタンＢ４、TemplatesボタンＢ５、ScrapbookボタンＢ６、AccountingボタンＢ７、SystemボタンＢ８、CustomボタンＢ９などが表示される。
店員等は、これら表示されたボタンＢのうちから所望の設定項目に対応するボタンＢを押圧操作することで、所望の設定項目について設定入力を行うための設定入力画面を表示入力部３上に表示させる指示を行うことができる。
【００３３】
ここで、この図４に示す各種ボタンのうち、PricingボタンＢ３と、PromotionsボタンＢ４とがそれぞれ示す「Pricing」と「Promotions」の設定項目が、上述した料金単価に係る設定を行うための設定項目となる。
具体的に、この場合の「Pricing」の項目としては、先に述べたインスタントサービスモードとフルサービスモードの各モードごとに、主に用紙サイズごとの料金単価を設定するための項目となる。
また、「Promotions」の項目としては、先に説明したようにして或る指定枚数以上の印刷については割引を適用した単価を設定するサービスを行うときなどに対応して、インスタントサービスモードとフルサービスモードの各モードごとに、指定の印刷枚数刻みで個別に単価を設定することなどを可能とするための項目となる。
【００３４】
図５、図６は、上記Pricingの項目について設定を行うために表示入力部３上に表示されべきPricing設定入力画面の画面情報内容についてそれぞれ示しており、図５はインスタントサービスモードについて設定を行うためのインスタントサービスモード用Pricing設定入力画面として表示されるべき画面情報内容について主に示し、図６はフルサービスモードについて設定を行うためのフルサービスモード用Pricing設定入力画面として表示されるべき画面情報内容について主に示している。
【００３５】
図５に示すインスタントサービスモード用Pricing設定入力画面は、先の図４に示した設定項目メニュー画面において、PricingボタンＢ３に対する押圧操作が行われたことに応じて表示されるものとなっている。すなわち、この場合はPricingボタンＢ３の操作に応じて、インスタントサービスモード用Pricing設定入力画面の方が先に表示されるものとなっている。
なお、図６に示すフルサービスモード用Pricing設定入力画面としては、図５に示すフルサービスモード用Pricing設定入力画面において表示される、後述する第２タグＴ２、又は画面切り換えボタンＢ１０の何れかが操作されることで表示されるものとなっている。
【００３６】
これらの図に示されているように、図５における上記インスタントサービスモード用Pricing設定入力画面としての画面情報、及び図６に示す上記フルサービスモード用Pricing設定入力画面としての画面情報は、共に図示する入力画面表示領域Ａ１としての、表示入力部３上の予め定められた領域に対して表示されることになる。
先ず、図５におけるインスタントサービスモード用Pricing設定入力画面の画面情報の内容としては、図中「Pricing」として示す、上述したような用紙サイズごとの料金単価を設定するための設定項目とそれらの設定項目に対応づけられて入力情報内容を表示するための入力ボックス等が表示される。
また、インスタントサービスモード用Pricing設定入力画面の画面情報内容としては、この他にも、図示する「Add to price avobe」や「Tax」、「Limit per order」として、それらの各設定項目と、各設定項目に対応づけられて入力情報内容を表示するための入力ボックス等が表示されたものとなる。
【００３７】
一方、図６に示すフルサービスモード用Pricing設定入力画面の画面情報としても、その設定項目の内容としては、図５に示すものと同じものとなっている。つまり、「Pricing」として示す用紙サイズごとの料金単価を設定するための設定項目とそれらの入力ボックス等と、「Add to price avobe」「Tax」「Limit per order」についての各種設定項目とそれらの入力ボックス等が表示される。
【００３８】
なお、これら図５、図６において、各種設定項目についての入力ボックスに対する情報入力は、図中数値入力ボタン表示領域Ａ２内に表示される各種ボタンを操作することで行うことができる。これら各種ボタンとしては、図示するようにして少なくとも数値による情報入力を行うための各種ボタン（この場合は入力数値をクリアするためのClearボタンとカンマ入力ボタンも含まれる）が表示され、店員等はこれらのボタンを操作することで入力ボックスへの情報入力を行うことができる。
【００３９】
図５に示されるインスタントサービスモード用Pricing設定入力画面の表示時において各入力ボックスに対して入力された数値情報は、インスタントサービスモード時における各項目についての設定値として反映される。すなわち、この図５において入力された例えば各種料金単価の値は、インスタントサービスモード時の代金計算時に用いられる各種料金単価情報として設定されることになる。
同様に、図６に示すフルサービスモード用Pricing設定入力画面に対して入力された各種数値情報は、フルサービスモード時における各項目についての設定値として反映されることになる。
【００４０】
また、図５、図６において、それぞれ入力画面表示領域Ａ１に表示されるインスタントサービスモード用Pricing設定入力画面の画面情報、フルサービスモード用Pricing設定入力画面の画面情報に対しては、それらと対応づけられるようにして、それぞれの画面名称（画面タイトル）を示すためのタグ情報が表示される。図５に示すように、インスタントサービスモード用Pricing設定入力画面の画面情報に対応づけては、その画面名として例えばそのモード名を示す「Instant Service」の文字を示した第１タグＴ１が表示される。また、図６に示すフルサービスモード用Pricing設定入力画面の画面情報に対応づけては、その画面名として同様にそのモード名を示す「Full Service」の文字を示した第２タグＴ２が表示される。
なお、図示もしているが、これら第１タグＴ１、第２タグＴ２が表示される領域については、それぞれ第１画面用タイトル表示領域、第２画面タイトル表示領域とも呼ぶ。
【００４１】
この場合、第１タグＴ１は、画面タイトルを表示するための領域であると共に、インスタントサービスモード用Pricing設定入力画面を選択するための操作ボタンとしても機能するようにされている。同様に、第２タグＴ２としては、フルサービスモード用Pricing設定入力画面を選択するための操作ボタンとしても機能するようにされる。
具体的に、これら第１タグＴ１、第２タグＴ２としては、図５、図６を参照してわかるように、何れの画面表示時にも表示されるものとなっている。但し、第２タグＴ２としては、図５に示されるようにしてインスタントサービスモード用Pricing設定入力画面が表示されている場合は、選択表示される画面タイトルを示すものとはならないことから、例えば図示するようにしてその表示は薄い色や色無しなど、視覚的に目立たない表示とし、現在選択中の画面タイトルとの混同が生じ難くされる。同様に、第１タグＴ１としては、図６に示されるようにフルサービスモード用Pricing設定入力画面が選択表示されている場合は選択表示される画面タイトルを示すものとはならないことから、同様に視覚的に目立たない表示となるようにされる。
そして、図５に示すインスタントサービスモード用Pricing設定入力画面の表示時おいて、第２タグＴ２としての、表示入力部３上の第２画面タイトル表示領域に対する押圧操作が行われた場合は、表示入力部３上の入力画面表示領域Ａ１に対し、図６に示すフルサービスモード用Pricing設定入力画面としての画面情報が表示される。
また、この図６に示すフルサービスモード用Pricing設定入力画面の表示時において、第１タグＴ１としての第１画面タイトル表示領域に対する押圧操作が行われた場合は、表示入力部３上の入力画面表示領域Ａ１に対し、図５に示すインスタントサービスモード用Pricing設定入力画面としての画面情報が表示されることになる。
このようにしてそれぞれの画面タイトルを示すタグを操作することにより、そのタグが示す画面を切り換えて表示することができるようにされている。
【００４２】
また、図５、図６に示すそれぞれの画面表示時において、表示入力部３上には、図示するようにして先の図４にて示したScreensボタンＢ２、PricingボタンＢ３、PromotionsボタンＢ４、TemplatesボタンＢ５、ScrapbookボタンＢ６、AccountingボタンＢ７、SystemボタンＢ８、CustomボタンＢ９も表示される。このことによって、先の図４に示した上位階層に戻らずに各ボタンＢが示す設定入力画面に直接移行することが可能となるようにされている。
【００４３】
また、図５、図６において、さらに表示入力部３上には、Cancel-JobボタンＢ１１、LogsボタンＢ１２、ShutdownボタンＢ１３、Exit-AdminボタンＢ１４、Print-ManagerボタンＢ１５などのボタンも表示される。
【００４４】
また、この場合、表示入力部３上に対しては、上述のタグと共にそれぞれの画面を切り換えるための画面切り換えボタンＢ１０が別途備えられるものとなっている。この画面切り換えボタンＢ１０は、図５に示すインスタントサービスモード用Pricing設定入力画面の表示時においては、「Full Service」の表示が為され、その操作に応じては図６に示すフルサービスモード用Pricing設定入力画面の表示に切り換えるようにされる。また、図６に示すフルサービスモード用Pricing設定入力画面の表示時においては「Instant Service」の表示が為され、その操作に応じては図５に示すインスタントサービスモード用Pricing設定入力画面の表示に切り換えるようにされている。
【００４５】
なお、このようにして画面切り換えボタンＢ１０、又は上述のタグの操作により画面選択操作（画面切り換え操作）が可能となるようにされていることで、１操作で別モードについての設定入力画面への切り換えが可能となり、これによって設定入力作業の高効率化が図られている。
【００４６】
続いて、図７、図８は、上述したPromotionsの項目について設定入力を行うために表示入力部３上に表示されるべきPromotions設定入力画面の画面情報内容についてそれぞれ示している。図７は、インスタントサービスモードについて設定を行うためのインスタントサービスモード用Promotions設定入力画面として表示されるべき画面情報内容について主に示し、図８はフルサービスモードについて設定を行うためのフルサービスモード用Promotions設定入力画面として表示されるべき画面情報内容について主に示している。
【００４７】
図７に示すインスタントサービスモード用Promotions設定入力画面としては、先の図４に示した設定項目メニュー画面において、PromotionsボタンＢ４に対する押圧操作が行われたことに応じて表示されるものとなっている。すなわち、この場合も上位階層からの移行に応じては、先ずはインスタントサービスモード用の設定画面が表示されるものとなっている。
また、図８に示すフルサービスモード用Promotions設定入力画面については、この場合も表示入力部３上に先の図５、図６の場合と同様に表示される第２タグＴ２、又は画面切り換えボタンＢ１０が操作されることで表示されるものとなる。
【００４８】
これらの図に示すインスタントサービスモード用Promotions設定入力画面、フルサービスモード用Promotions設定入力画面としての画面情報としても、それぞれ入力画面表示領域Ａ１としての表示入力部３上の予め定められた領域に対して表示されるものとなっている。
そして、図７におけるインスタントサービスモード用Pricing設定入力画面の画面情報の内容としては、図中「Volume Discount」として示す、上述したような指定枚数ごとに個別に料金単価を設定するための設定項目とそれらの設定項目に対応づけられて入力情報内容を表示するための入力ボックスが表示される。
また、インスタントサービスモード用Promotions設定入力画面の画面情報内容としては、この他にも、図示するようにして「Volume Package」や「Portrait Package」についての各種設定項目と、それらの設定項目に対応づけられて入力情報内容を表示するための入力ボックス等が表示される。
【００４９】
そして、図８に示すフルサービスモード用Promotions設定入力画面の画面情報としても、その設定項目の内容としては図７に示すものと同じものとなっている。つまり、「Volume Discount」として示す指定枚数ごとの個別の料金単価を設定するための設定項目とそれらの入力ボックスや、「Volume Package」「Portrait Package」についての各種設定項目とそれらの入力ボックス等が表示される。
【００５０】
これら図７、図８においても、各種設定項目の入力ボックスに対する情報入力は、図中数値入力ボタン表示領域Ａ２内に表示される各種ボタンを操作することで行うことができる。
そしてこの場合も図７に示されるインスタントサービスモード用Promotions設定入力画面の表示時において各入力ボックスに対して入力された数値情報は、インスタントサービスモード時における各項目についての設定値として反映される。同様に、図８に示すフルサービスモード用Promotions設定入力画面に対して入力された各種数値情報は、フルサービスモード時における各項目についての設定値として反映されることになる。
【００５１】
また、この場合においても、それぞれ入力画面表示領域Ａ１に表示されるインスタントサービスモード用Promotions設定入力画面、フルサービスモード用Promotions設定入力画面の画面情報に対しては、それらと対応づけられるようにして、それぞれの画面名称（画面タイトル）を示すための第１タグＴ１、第２タグＴ２が表示される。つまり図７に示すように、インスタントサービスモード用Promotions設定入力画面に対応づけては、その画面名として例えばそのモード名を示す「Instant Service」の文字を示した第１タグＴ１が表示される。同様に図８に示すフルサービスモード用Promotions設定入力画面に対応づけては、その画面名として例えば「Full Service」の文字を示した第２タグＴ２が表示される。
【００５２】
この場合も第１タグＴ１は、画面タイトルを表示するための領域であると共に、インスタントサービスモード用Promotions設定入力画面を選択するための操作ボタンとしても機能するようにされ、また第２タグＴ２は、フルサービスモード用Promotions設定入力画面を選択するための操作ボタンとしても機能するようにされる。
なお、この場合も第２タグＴ２としては、図７に示されるようにしてインスタントサービスモード用Promotions設定入力画面が表示されている場合は、選択表示される画面タイトルを示すものとはならないことから、図示するようにしてその表示は薄い色や色無しなど、視覚的に目立たない表示となるようにされる。また第１タグＴ１としても、図８に示されるようにフルサービスモード用Promotions設定入力画面が選択表示されている場合は、同様に視覚的に目立たない表示となるようにされる。
【００５３】
また、この場合も表示入力部３上に対しては、それぞれの画面を切り換えるための画面切り換えボタンＢ１０が別途備えられる。すなわち、この場合の画面切り換えボタンＢ１０としても、図７に示すインスタントサービスモード用Promotions設定入力画面の表示時においては「Full Service」の表示が為され、その操作に応じては図８に示すフルサービスモード用Promotions設定入力画面の表示に切り換えるようにされ、また、図８に示すフルサービスモード用Promotions設定入力画面の表示時においては「Instant Service」の表示が為され、その操作に応じては図７に示すインスタントサービスモード用Promotions設定入力画面の表示に切り換えるようにされている。
【００５４】
なお、図７、図８に示すそれぞれの画面表示時において、この場合も表示入力部３上には、図示するようにしてScreensボタンＢ２、PricingボタンＢ３、PromotionsボタンＢ４、TemplatesボタンＢ５、ScrapbookボタンＢ６、AccountingボタンＢ７、SystemボタンＢ８、CustomボタンＢ９も表示され、これによって先の図４に示した上位階層に戻らずに各ボタンＢが示す設定入力画面に直接移行することが可能となるようにされている。
また、この場合も表示入力部３上には、Cancel-JobボタンＢ１１、LogsボタンＢ１２、ShutdownボタンＢ１３、Exit-AdminボタンＢ１４、Print-ManagerボタンＢ１５なども表示されることになる。
【００５５】
ここで、上記説明によると、Pricing設定入力画面としては、インスタントサービスモード用の設定画面とフルサービスモード用の設定画面とで、同一の設定項目について表示するようにされている。同様に、Promotions設定入力画面としても、インスタントサービスモード用の設定画面とフルサービスモード用の設定画面とで、全く同一の設定項目について表示するようにされている。
すなわち、これらPricing設定入力画面とPromotions設定入力画面とでは、インスタントサービスモード用の画面情報とフルサービスモード用の画面情報とについてそれぞれ同一内容を表示するようにされているものである。
【００５６】
このようにして画面内容が同一であると、例えば店員等が設定入力作業を何らかの理由で中断し、その後に改めて入力作業を再開するなどといった場合に、どちらの画面に対する入力を行っていたかを特定することが困難となってしまう虞がある。具体的には、例えばインスタントモード用の設定画面と思い入力を行ったが実際にはフルサービスモードについての入力を行っていたなど、誤入力を招く虞がある。
特に、この場合のように設定項目が料金に係る設定項目である場合には、モードを誤って設定入力が行われてしまうことによって売り上げ減少や料金過剰請求などの重大な問題を引き起こす虞がある。
【００５７】
なお、実施の形態では、図５〜図８に示されるようにして、各設定画面においてはタグとしての画面タイトルを表示するものとしているが、より強固に誤入力の防止を図るためには、直感的にそれぞれの画面の違いを認識させることができるようにすることが必要となる。
【００５８】
そこで、本実施の形態では、このようにして同一表示内容を有する複数種の画面情報について表示を行うにあたっては、予めそれぞれの画面種類ごとに異なる色を設定しておいた上で、画面情報の表示領域の少なくとも一部と、その画面情報に対応づけて表示画面上に表示される画面名の情報の表示領域とを、選択された画面情報の種類に応じた色で表示する。
具体的に、この場合の画像情報の種類は、インスタントサービスモード用とフルサービスモード用との２種とされるので、予めそれらのモード対応に異なる色を設定しておく。その上で、これらインスタントサービスモード用とフルサービスモード用とでそれぞれ画面表示を行う場合には、表示する画面の種類（つまり選択された画面情報の種類）に応じて選択した色により、入力画面表示領域Ａ１の少なくとも一部と、その画面情報についての画面名を示すタイトル表示領域とが表示されるようにする。
【００５９】
例えばインスタントサービスモードについては色Ａ、フルサービスモードについては色Ｂが設定されているとすると、図５に示すインスタントサービスモード用Pricing設定入力画面の表示にあたっては、入力画面表示領域Ａ１の一部として、例えば図示されるように入力ボックス内の色を色Ａにより表示し、またタイトル表示領域としての第１タグＴ１の表示領域を同じ色Ａにより表示する。
一方、図６に示すフルサービスモード用Pricing設定入力画面の表示にあたっては、図示されるように入力ボックス内の色を色Ｂにより表示し、また第２タグＴ２の表示領域を同じ色Ｂにより表示する。
【００６０】
また、図７に示すインスタントサービスモード用Promotions設定入力画面についても、図示されるように入力ボックス内の色を色Ａにより表示し、また第１タグＴ１の表示領域を同じ色Ａにより表示する。
また、図８に示すフルサービスモード用Promotions設定入力画面については、図示するように入力ボックス内の色を色Ｂにより表示し、また第２タグＴ２の表示領域を同じ色Ｂにより表示する。
【００６１】
このようにして画面情報の種類ごとに異なる色を割り振り、選択された画面情報の表示領域の少なくとも一部をその画面名の表示領域の色と同じ色で表示すれば、複数種ある同一表示内容の画面情報のうちの何れが表示されているかをユーザーに直感的に理解させることができる。
特に、実施の形態のように表示すべき画面情報が、モード別に同一設定項目について設定入力するための設定入力画面情報である場合には、どのモードについての設定を行っているかを直感的に理解させることができ、これによってモードの誤認による設定入力ミスの発生を効果的に防止することができる。
【００６２】
そして、このようにして設定入力ミスの発生を効果的に防止できることにより、実施の形態のように各種設定項目が料金に関する設定項目である場合には、売り上げ減少や料金過剰請求などの重大な問題の発生も効果的に防止することができる。
【００６３】
続いて、次の図９に示すフローチャートを参照して、上記説明による実施の形態としての画面表示動作を実現するために行われるべき処理動作について説明する。
なお、この図９に示される処理動作は、図２に示したＣＰＵ１２が記憶部１３内に格納されるプログラム（図示せず）に基づいて実行するものである。
また、この図に示す処理動作は、先の図４に示した設定項目メニュー画面において表示したPricingボタンＢ３、又はPromotionsボタンＢ４が操作されることに応じて開始されるものである。
【００６４】
先ず、図示するステップＳ１０１、及びステップＳ１０２の処理によっては、インスタントサービスモード用の画面かフルサービスモード用の画面かについての判別処理を実行するようにされる。
ここで、図４に示した設定項目メニュー画面上のPricingボタンＢ３又はPromotionsボタンＢ４が操作された場合は、先にも述べたように、Pricing設定入力画面もPromotions設定入力画面も共に、インスタントサービスモード用の画面を先に表示するようにされている。従ってこのように設定項目メニュー画面におけるPricingボタンＢ３又はPromotionsボタンＢ４が操作された場合には、ステップＳ１０１にてインスタントサービスモード用の画面が選択されたとの判別結果を得るようにされる。
また、図５、図７に示したインスタントサービスモード用Pricing設定入力画面、インスタントサービスモード用Promotions設定入力画面の表示時においては、第２タグＴ２又は画面切り換えボタンＢ１０が操作されることで、フルサービスモード用の画面表示に切り換えを行うようにされる。従ってこれらインスタントサービスモード用Pricing設定入力画面、インスタントサービスモード用Promotions設定入力画面の表示時においては、第２タグＴ２又は画面切り換えボタンＢ１０の何れかに対する操作が行われた場合に、ステップＳ１０２においてフルサービスモード用の画面が選択されたとの判別結果を得る。
さらに、図６、図８に示したフルサービスモード用Pricing設定入力画面、フルサービスモード用Promotions設定入力画面の表示時においては、第１タグＴ１又は画面切り換えボタンＢ１０が操作されることで、インスタントサービスモード用の画面表示に切り換えを行うようにされる。従ってこれらフルサービスモード用Pricing設定入力画面、フルサービスモード用Promotions設定入力画面の表示時においては、第１タグＴ１又は画面切り換えボタンＢ１０の何れかに対する操作が行われた場合に、ステップＳ１０１においてインスタントサービスモード用の画面が選択されたとの判別結果を得る。
【００６５】
これらの説明より、インスタントサービスモード用の画面が選択されたか否かを判別する上記ステップＳ１０１の処理としては、実際には、図４に示した設定項目メニュー画面の表示時におけるPricingボタンＢ３かPromotionsボタンＢ４の何れかに対する押圧操作が行われたか否か、及びフルサービスモード用Pricing設定入力画面の表示時とフルサービスモード用Promotions設定入力画面の表示時とにおける第１タグＴ１か画面切り換えボタンＢ１０の何れかに対する押圧操作が行われたか否かについて判別処理を行うようにされる。
また、上記ステップＳ１０２としては、インスタントサービスモード用Pricing設定入力画面の表示時とインスタントサービスモード用Promotions設定入力画面の表示時とにおける第２タグＴ２か画面切り換えボタンＢ１０の何れかに対する押圧操作が行われたか否かについて判別処理を行うようにされる。
【００６６】
そして、上記ステップＳ１０１において、インスタントサービスモード用の画面であるとの判別結果が得られた場合は、ステップＳ１０３に進み、色Ａによる画面表示を行うための処理を実行する。すなわち、PricingボタンＢ３の押圧操作、又はフルサービスモード用Pricing設定入力画面の表示時における第１タグＴ１か画面切り換えボタンＢ１０の何れかの押圧操作が行われた場合に対応しては、インスタントサービスモード用Pricing設定入力画面について、その表示領域内に表示されるべき入力ボックス内と画面タイトル表示領域としての第１タグＴ１の表示領域とが、予めインスタントサービスモード用として設定された色Ａにより表示されるように、表示入力部３に対する制御を行う。
また、PromotionsボタンＢ４の押圧操作、又はフルサービスモード用Promotions設定入力画面の表示時における第１タグＴ１か画面切り換えボタンＢ１０の何れかの押圧操作が行われた場合に対応しては、インスタントサービスモード用Promotions設定入力画面について、その表示領域内に表示されるべき入力ボックス内と画面タイトル表示領域としての第１タグＴ１の表示領域とが、予めインスタントサービスモード用として設定された色Ａにより表示されるように表示入力部３に対する制御を行う。
【００６７】
一方、上記ステップＳ１０２において、フルサービスモード用の画面であるとの判別結果が得られた場合は、ステップＳ１０４において、色Ｂによる画面表示を行うための処理を実行する。すなわち、インスタントサービスモード用Pricing設定入力画面の表示時における第２タグＴ２か画面切り換えボタンＢ１０の何れかの押圧操作が行われた場合に対応しては、フルサービスモード用Pricing設定入力画面について、その表示領域内に表示されるべき入力ボックス内と画面タイトル表示領域としての第２タグＴ２の表示領域とが、予めフルサービスモード用として設定された色Ｂにより表示されるように、表示入力部３に対する制御を行う。
また、インスタントサービスモード用Promotions設定入力画面の表示時における第２タグＴ２か画面切り換えボタンＢ１０の何れかの押圧操作が行われた場合に対応しては、フルサービスモード用Promotions設定入力画面について、その表示領域内に表示されるべき入力ボックス内と画面タイトル表示領域としての第２タグＴ２の表示領域とが、予めフルサービスモード用として設定された色Ｂにより表示されるように表示入力部３に対する制御を行う。
【００６８】
以上、本発明の実施の形態について説明したが、本発明としてはこれまでで説明した実施の形態に限定されるべきものではない。
例えば実施の形態では、本発明を印刷装置において行われる画面表示に対して適用する場合を例示したが、本発明としては表示部とその制御を行う制御部とを備える表示装置に対し広く好適に適用することができる。
【００６９】
また、実施の形態では、同一表示内容を有する複数種の画面情報が２種類とされる場合を例示したが、３種以上とされる場合にも、それぞれの画面種類ごとに異なるようにして設定されたそれぞれの色で画面内の所定部分を表示することで、同様にどの画面情報が表示されているかを直感的に理解させることができる。
【００７０】
また、実施の形態では、同一表示内容を有する画面情報が設定入力を行うための設定画面情報とされる場合を例示したが、他の画面情報とされる場合にも本発明は好適に適用できる。すなわち、本発明としては、同一表示内容を有する複数種の画面情報について表示を行うようにされる場合において、広く好適に適用することができ、その場合も本発明を適用することで、何れの画面情報が表示されているかを直感的に理解させることができる。
【００７１】
また、実施の形態では、画面情報の表示領域の一部のみについて予め定められた色で表示する場合を例示したが、画面情報の表示領域全体を予め定められた色で表示することもできる。
【００７２】
また、実施の形態では、タグによる表示画面選択と、タグとは別途に表示した切り換えボタンとの双方で表示画面選択（表示画面切り換え）が可能となるようにする場合を例示したが、これらの何れかのみを設けて画面選択操作が可能となるように構成することもできる。
【００７３】
また、実施の形態では、操作入力は表示入力部３としてのタッチパネル上に表示されたボタンとしてのアイコン表示領域を押圧操作することで行われる場合を例示したが、例えば画面上に十字キーやマウス等の操作に応じて移動可能なカーソルを表示し、このカーソルにより各種のボタンアイコンの操作が可能となるように構成することもできる。この場合ユーザーは、所望のボタンアイコン上にカーソルを合わせた上で、予め定められた決定操作を行うことによってそのアイコンに対応づけられた操作入力指示を行うことができる。
このようにしてタッチパネル以外の手段による操作入力が可能となるように構成することができる。
【図面の簡単な説明】
【００７４】
【図１】本発明の表示装置を適用した実施の形態としての印刷装置の外観例を示した外観図である。
【図２】図１に示す印刷装置の内部構成を示したブロック図である。
【図３】実施の形態の印刷装置に対して設定入力を行うための操作手順について説明するための図として、操作に応じて表示画面上に表示されるメニュー画面の例について示した図である。
【図４】実施の形態の印刷装置に対して設定入力を行うための操作手順について説明するための図として、操作に応じて表示画面上に表示される設定項目メニュー画面の例について示した図である。
【図５】インスタントサービスモード用Pricing設定入力画面の表示例について示した図である。
【図６】フルサービスモード用Pricing設定入力画面の表示例について示した図である。
【図７】インスタントサービスモード用Promotions設定入力画面の表示例について示した図である。
【図８】フルサービスモード用Promotions設定入力画面の表示例について示した図である。
【図９】実施の形態としての画面表示動作を実現するために実行されるべき処理動作について示したフローチャートである。
【符号の説明】
【００７５】
１  印刷装置、２  筐体、３  表示入力部、４  メモリカードスロット、５  写真取出口、６  広告表示部、７  入金装置部、８  音声出力部、９  印刷部、９ａ  第１プリンタ、９ｂ  第２プリンタ、１０  メモリカードＩ／Ｆ部、１１  制御部、１２  ＣＰＵ、１３  記憶部、Ａ１  入力画面表示領域、Ｔ１  第１タグ、Ｔ２  第２タグ、Ｂ１０  画面切り換えボタン
【図１】
2007241814.tif 000003
【図２】
2007241814.tif 000004
【図３】
2007241814.tif 000005
【図４】
2007241814.tif 000006
【図５】
2007241814.tif 000007
【図６】
2007241814.tif 000008
【図７】
2007241814.tif 000009
【図８】
2007241814.tif 000010
【図９】
2007241814.tif 000011